(57)【要約】【課題】本発明はニットウェアの型崩れ防止のハンガーを開示した。【解決手段】横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前スライダの上端にはフック装置が設置され、本発明は従来の枠式のハンガーの形式を諦め、平板により服をきつく挟む方式を採用し、服の型を最大限で保護でき、また両面が中心に向かって挟む方式を採用し、ふわふわのニットウェアがスペースを取る問題を解決し、操作が便利で、服を敷いてフックを引いてアームロッドを回転させれば服の収納を実現できる。【選択図】図１
2020175066.tif 000002
【特許請求の範囲】
【請求項１】
横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記推し桶に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟むことを特徴とするニットウェアの型崩れ防止のハンガー。
【請求項２】
前記フック装置は前記フックの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とすることを特徴とする請求項１に記載のニットウェアの型崩れ防止のハンガー。
【請求項３】
前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟むことを特徴とする請求項１に記載のニットウェアの型崩れ防止のハンガー。
【請求項４】
前記磁性吸引装置は前記平板の前後両側に設置されているアームロッドを含み、前記アームロッドの中には対称中心に向かって開口した開口溝が設置され、前記開口溝の中には前記伝動軸と回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じることを特徴とする請求項１又は請求項３に記載のニットウェアの型崩れ防止のハンガー。
【発明の詳細な説明】
【技術分野】
【０００１】
本発明はニット用品保護技術分野を取り上げて、具体的にはニットウェアの型崩れ防止のハンガーである。
【背景技術】
【０００２】
ニットウェアは春の用品として多くの人に着られ、編み糸の特殊性のため、普通のハンガーに長時間掛けると服に折り目がつき、また一部のアクセサリーを持つ服が重いから編み糸を更に伸ばし、服の美観を損なう。本発明は上記問題を解決できる装置を開示した。
【先行技術文献】
【特許文献】
【０００３】
【特許文献１】中国特許出願公開第１０３５３６１６６号明細書
【発明の概要】
【発明が解決しようとする課題】
【０００４】
本発明はニットウェアの型崩れ防止のハンガーを提供し、従来技術における上記欠点を解消することを目的とする。
【課題を解決するための手段】
【０００５】
本発明のニットウェアの型崩れ防止のハンガーは、横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記推し桶に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟む。
【０００６】
好ましくは、前記フック装置は前記フックの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とする。
【０００７】
好ましくは、前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟む。
【０００８】
好ましくは、前記磁性吸引装置は前記平板の前後両側に設置されているアームロッドを含み、前記アームロッドの中には対称中心に向かって開口した開口溝が設置され、前記開口溝の中には前記伝動軸と回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じる。
【発明の効果】
【０００９】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【図面の簡単な説明】
【００１０】
説明しやすいために、本発明は以下の具体的な実施例及び付図により詳しく説明される。
【００１１】
【図１】図１は本発明のニットウェアの型崩れ防止のハンガーの全体構成模式図
【図２】図２は図１の「Ａ−Ａ」の構成模式図
【図３】図３は図２の「Ｂ−Ｂ」の構成模式図
【発明を実施するための形態】
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
本発明のニットウェアの型崩れ防止のハンガーは、横軸１１を含み、前記横軸１１には左右対称の脱離防止ブロック１７が設置され、前記横軸１１には左右対称のスライダ１５がスライドできるように連結され、前記スライダ１５のうち対称中心から離れている側と前記脱離防止ブロック１７のうち対称中心に近接している側との間には引っ張りばね１６が連結され、前記スライダ１５の上端にはフック装置９０１が設置され、前記スライダ１５の下端には前後対称の掛けロッド１８が設置され、前記掛けロッド１８の下端には平板２０が固定的に連結され、前記平板２０には中心対称の凹溝３１が設置され、前記凹溝３１の中には転向装置９０２が設置され、その中、前記転向装置９０２の中には前記平板２０の外側に位置しており、且つ前後対称の磁性吸引装置９０３が設置され、前記平板２０の中には前記凹溝３１の間に位置している昇降チャンバ２２が設置され、前記昇降チャンバ２２の頂端内壁には推し桶２１がスライドできるように連結され、前記推し桶２１の下端の中には前記転向装置９０２を制御できる斜面ブロック３８が設置され、前記スライダ１５の下端には下ヒンジ連結ロッド２３がヒンジにより連結され、前記下ヒンジ連結ロッド２３の下端には前記推し桶２１と固定的に連結されている圧し板１９がヒンジにより連結され、
服を広げて前記推し桶２１に置き、前記フック装置９０１を引き動かして上へ移動させ、前記スライダ１５がスライドすることにより前記圧し板１９を連動させて下へ移動させ、更に前記推し桶２１を連動させて下へ移動させ、この時、前記磁性吸引装置９０３が回転して広がり、左右端の前記平板２０が磁性の互いに吸引する原理により、互いに近づくように移動して服をきつく挟む。
【００１４】
有益的には、前記フック装置９０１は前記フック１２の上側端面にヒンジにより連結されている上ヒンジ連結ロッド１４を含み、前記上ヒンジ連結ロッド１４の上端には連結台１３がヒンジにより連結され、前記連結台１３の上側端面にはフック１２が回転できるように連結され、
前記フック１２を利用して服を掛け、且つ服を掛ける動作を設備を始動する信号源とする。
【００１５】
有益的には、前記転向装置９０２は、前記凹溝３１の内壁と回転できるように連結され、且つ上下へ伸びている伝動軸３２を含み、前記伝動軸３２にはギヤ３３が設置され、前記伝動軸３２には前記ギヤ３３のうち対称中心に近接している側に位置している回転ロッド３０が設置され、前記回転ロッド３０のもう一端が前記磁性吸引装置９０３と回転できるように連結され、前記凹溝３１のうち前記昇降チャンバ２２に近接している側の内壁には前記ギヤ３３と噛み合って連結されているラック３４がスライドできるように連結され、前記ラック３４には前記昇降チャンバ２２の中に位置している従動ブロック３６が設置され、前記従動ブロック３６が前記斜面ブロック３８と当接して連結され、前記従動ブロック３６と前記昇降チャンバ２２の内壁との間には抵抗ばね３５が連結され、
ラックとギヤとの組み合わせを採用し、前記回転ロッド３０を九十度回転させ、服の腕部分をきつく挟む。
【００１６】
有益的には、前記磁性吸引装置９０３は前記平板２０の前後両側に設置されているアームロッド４４を含み、前記アームロッド４４の中には対称中心に向かって開口した開口溝４０が設置され、前記開口溝４０の中には前記伝動軸３２と回転できるように連結されている固定軸２９が固定的に連結され、前記アームロッド４４の中には前記開口溝４０のうち対称中心から離れている側に位置している電源チャンバ４３が設置され、前記電源チャンバ４３のうち対称中心に近接している側の内壁にはスライドロッド２８がスライドできるように連結され、前記スライドロッド２８には前記回転ロッド３０と当接している当接板４１が設置され、前記当接板４１と前記開口溝４０の内壁との間には圧縮ばね４２が連結され、前記スライドロッド２８には前記電源チャンバ４３の中に位置している正極棒２６が設置され、前記アームロッド４４の中には上下対称であり、且つ前記正極棒２６とスライドできるように連結されているスライドレール２７が連通するように設置され、前記アームロッド４４の中には前記スライドレール２７のうち対称中心から離れている端に位置しており、且つ前記正極棒２６と当接している電磁石２５が設置され、前記電源チャンバ４３の中には前記正極棒２６と当接している電池枠２４が設置され、前記電池枠２４のうち対称中心から離れている端には前記電磁石２５と当接している負極棒４５が設置され、
機械の変位により、前記電磁石２５と、前記負極棒４５と、前記電池枠２４と、前記正極棒２６との間が二つの閉回路を形成し、通電して磁性を生じる。
【００１７】
作動する時、服を広げて平板２０に置き、服の肩部と平板２０の上端とを位置合わせし、この時、フック１２を引き動かして上へ移動させ、フック１２が連結台１３と、上ヒンジ連結ロッド１４とによりスライダ１５を互いに近づかせ、また引っ張りばね１６に運動エネルギーを蓄積させ、スライダ１５が移動する時、下ヒンジ連結ロッド２３により圧し板１９を推し動かして下へ移動させ、また推し桶２１により従動ブロック３６を推し動かして対称中心から離れている側に向かってスライドさせ、また従動ブロック３６の間の位置は高さの差があるため、上下二つの従動ブロック３６のスライドは前後順序があるようになり、従動ブロック３６がラック３４を推し動かし、ラック３４が噛み合いによりギヤ３３を回転させ、ギヤ３３がまた伝動軸３２により回転ロッド３０を九十度回転させ、この時、手でアームロッド４４も九十度回転させ、回転ロッド３０が当接板４１を推し動かして電源チャンバ４３の中へ移動させ、またスライドロッド２８により正極棒２６をそれぞれ電磁石２５と電池枠２４と当接させることにより、電磁石２５と、負極棒４５と、電池枠２４と、正極棒２６との間が上下二つの閉回路を形成し、通電して磁性を生じ、更にこれにより左右両端のアームロッド４４が磁力の作用のもとで服を更にきつく挟む。
【００１８】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【００１９】
以上の方式により、本分野の技術者が本発明の範囲内に作動モードにより各種な変化をすることができる。
【図１】
2020175066.tif 000003
【図２】
2020175066.tif 000004
【図３】
2020175066.tif 000005
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記推し桶に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟むことを特徴とするニットウェアの型崩れ防止のハンガー。
【請求項２】
前記フック装置は前記スライダの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とすることを特徴とする請求項１に記載のニットウェアの型崩れ防止のハンガー。
【請求項３】
前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟むことを特徴とする請求項１に記載のニットウェアの型崩れ防止のハンガー。
【請求項４】
前記磁性吸引装置は前記平板の前後両側に設置されているアームロッドを含み、前記アームロッドの中には対称中心に向かって開口した開口溝が設置され、前記開口溝の中には前記回転ロッドと回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じることを特徴とする請求項３に記載のニットウェアの型崩れ防止のハンガー。
【手続補正２】
【補正対象書類名】明細書
【補正対象項目名】全文
【補正方法】変更
【補正の内容】
【発明の詳細な説明】
【技術分野】
【０００１】
本発明はニット用品保護技術分野を取り上げて、具体的にはニットウェアの型崩れ防止のハンガーである。
【背景技術】
【０００２】
ニットウェアは春の用品として多くの人に着られ、編み糸の特殊性のため、普通のハンガーに長時間掛けると服に折り目がつき、また一部のアクセサリーを持つ服が重いから編み糸を更に伸ばし、服の美観を損なう。本発明は上記問題を解決できる装置を開示した。
【先行技術文献】
【特許文献】
【０００３】
【特許文献１】中国特許出願公開第１０３５３６１６６号明細書
【発明の概要】
【発明が解決しようとする課題】
【０００４】
本発明はニットウェアの型崩れ防止のハンガーを提供し、従来技術における上記欠点を解消することを目的とする。
【課題を解決するための手段】
【０００５】
本発明のニットウェアの型崩れ防止のハンガーは、横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記推し桶に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟む。
【０００６】
好ましくは、前記フック装置は前記スライダの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とする。
【０００７】
好ましくは、前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟む。
【０００８】
好ましくは、前記磁性吸引装置は前記平板の前後両側に設置されているアームロッドを含み、前記アームロッドの中には対称中心に向かって開口した開口溝が設置され、前記開口溝の中には前記回転ロッドと回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じる。
【発明の効果】
【０００９】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【図面の簡単な説明】
【００１０】
説明しやすいために、本発明は以下の具体的な実施例及び付図により詳しく説明される。
【００１１】
【図１】図１は本発明のニットウェアの型崩れ防止のハンガーの全体構成模式図
【図２】図２は図１の「Ａ−Ａ」の構成模式図
【図３】図３は図２の「Ｂ−Ｂ」の構成模式図
【発明を実施するための形態】
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
本発明のニットウェアの型崩れ防止のハンガーは、横軸１１を含み、前記横軸１１には左右対称の脱離防止ブロック１７が設置され、前記横軸１１には左右対称のスライダ１５がスライドできるように連結され、前記スライダ１５のうち対称中心から離れている側と前記脱離防止ブロック１７のうち対称中心に近接している側との間には引っ張りばね１６が連結され、前記スライダ１５の上端にはフック装置９０１が設置され、前記スライダ１５の下端には前後対称の掛けロッド１８が設置され、前記掛けロッド１８の下端には平板２０が固定的に連結され、前記平板２０には中心対称の凹溝３１が設置され、前記凹溝３１の中には転向装置９０２が設置され、その中、前記転向装置９０２の中には前記平板２０の外側に位置しており、且つ前後対称の磁性吸引装置９０３が設置され、前記平板２０の中には前記凹溝３１の間に位置している昇降チャンバ２２が設置され、前記昇降チャンバ２２の頂端内壁には推し桶２１がスライドできるように連結され、前記推し桶２１の下端の中には前記転向装置９０２を制御できる斜面ブロック３８が設置され、前記スライダ１５の下端には下ヒンジ連結ロッド２３がヒンジにより連結され、前記下ヒンジ連結ロッド２３の下端には前記推し桶２１と固定的に連結されている圧し板１９がヒンジにより連結され、
服を広げて前記推し桶２１に置き、前記フック装置９０１を引き動かして上へ移動させ、前記スライダ１５がスライドすることにより前記圧し板１９を連動させて下へ移動させ、更に前記推し桶２１を連動させて下へ移動させ、この時、前記磁性吸引装置９０３が回転して広がり、左右端の前記平板２０が磁性の互いに吸引する原理により、互いに近づくように移動して服をきつく挟む。
【００１４】
有益的には、前記フック装置９０１は前記スライダ１５の上側端面にヒンジにより連結されている上ヒンジ連結ロッド１４を含み、前記上ヒンジ連結ロッド１４の上端には連結台１３がヒンジにより連結され、前記連結台１３の上側端面にはフック１２が回転できるように連結され、
前記フック１２を利用して服を掛け、且つ服を掛ける動作を設備を始動する信号源とする。
【００１５】
有益的には、前記転向装置９０２は、前記凹溝３１の内壁と回転できるように連結され、且つ上下へ伸びている伝動軸３２を含み、前記伝動軸３２にはギヤ３３が設置され、前記伝動軸３２には前記ギヤ３３のうち対称中心に近接している側に位置している回転ロッド３０が設置され、前記回転ロッド３０のもう一端が前記磁性吸引装置９０３と回転できるように連結され、前記凹溝３１のうち前記昇降チャンバ２２に近接している側の内壁には前記ギヤ３３と噛み合って連結されているラック３４がスライドできるように連結され、前記ラック３４には前記昇降チャンバ２２の中に位置している従動ブロック３６が設置され、前記従動ブロック３６が前記斜面ブロック３８と当接して連結され、前記従動ブロック３６と前記昇降チャンバ２２の内壁との間には抵抗ばね３５が連結され、
ラックとギヤとの組み合わせを採用し、前記回転ロッド３０を九十度回転させ、服の腕部分をきつく挟む。
【００１６】
有益的には、前記磁性吸引装置９０３は前記平板２０の前後両側に設置されているアームロッド４４を含み、前記アームロッド４４の中には対称中心に向かって開口した開口溝４０が設置字され、前記開口溝４０の中には前記回転ロッド３０と回転できるように連結されている固定軸２９が固定的に連結され、前記アームロッド４４の中には前記開口溝４０のうち対称中心から離れている側に位置している電源チャンバ４３が設置され、前記電源チャンバ４３のうち対称中心に近接している側の内壁にはスライドロッド２８がスライドできるように連結され、前記スライドロッド２８には前記回転ロッド３０と当接している当接板４１が設置され、前記当接板４１と前記開口溝４０の内壁との間には圧縮ばね４２が連結され、前記スライドロッド２８には前記電源チャンバ４３の中に位置している正極棒２６が設置され、前記アームロッド４４の中には上下対称であり、且つ前記正極棒２６とスライドできるように連結されているスライドレール２７が連通するように設置され、前記アームロッド４４の中には前記スライドレール２７のうち対称中心から離れている端に位置しており、且つ前記正極棒２６と当接している電磁石２５が設置され、前記電源チャンバ４３の中には前記正極棒２６と当接している電池枠２４が設置され、前記電池枠２４のうち対称中心から離れている端には前記電磁石２５と当接している負極棒４５が設置され、機械の変位により、前記電磁石２５と、前記負極棒４５と、前記電池枠２４と、前記正極棒２６との間が二つの閉回路を形成し、通電して磁性を生じる。
【００１７】
作動する時、服を広げて平板２０に置き、服の肩部と平板２０の上端とを位置合わせし、この時、フック１２を引き動かして上へ移動させ、フック１２が連結台１３と、上ヒンジ連結ロッド１４とによりスライダ１５を互いに近づかせ、また引っ張りばね１６に運動エネルギーを蓄積させ、スライダ１５が移動する時、下ヒンジ連結ロッド２３により圧し板１９を推し動かして下へ移動させ、また推し桶２１により従動ブロック３６を推し動かして対称中心から離れている側に向かってスライドさせ、また従動ブロック３６の間の位置は高さの差があるため、上下二つの従動ブロック３６のスライドは前後順序があるようになり、従動ブロック３６がラック３４を推し動かし、ラック３４が噛み合いによりギヤ３３を回転させ、ギヤ３３がまた伝動軸３２により回転ロッド３０を九十度回転させ、この時、手でアームロッド４４も九十度回転させ、回転ロッド３０が当接板４１を推し動かして電源チャンバ４３の中へ移動させ、またスライドロッド２８により正極棒２６をそれぞれ電磁石２５と電池枠２４と当接させることにより、電磁石２５と、負極棒４５と、電池枠２４と、正極棒２６との間が上下二つの閉回路を形成し、通電して磁性を生じ、更にこれにより左右両端のアームロッド４４が磁力の作用のもとで服を更にきつく挟む。
【００１８】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【００１９】
以上の方式により、本分野の技術者が本発明の範囲内に作動モードにより各種な変化をすることができる。
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記平板に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟むができ、
前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟むができ、
前記磁性吸引装置は前記平板の前後両側に設置されているアームロッドを含み、前記アームロッドの中には対称中心に向かって開口した開口溝が設置され、前記開口溝の中には前記回転ロッドと回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じることを特徴とするニットウェアの型崩れ防止のハンガー。
【請求項２】
前記フック装置は前記スライダの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とすることを特徴とする請求項１に記載のニットウェアの型崩れ防止のハンガー。
【手続補正２】
【補正対象書類名】明細書
【補正対象項目名】全文
【補正方法】変更
【補正の内容】
【発明の詳細な説明】
【技術分野】
【０００１】
本発明はニット用品保護技術分野を取り上げて、具体的にはニットウェアの型崩れ防止のハンガーである。
【背景技術】
【０００２】
ニットウェアは春の用品として多くの人に着られ、編み糸の特殊性のため、普通のハンガーに長時間掛けると服に折り目がつき、また一部のアクセサリーを持つ服が重いから編み糸を更に伸ばし、服の美観を損なう。本発明は上記問題を解決できる装置を開示した。
【先行技術文献】
【特許文献】
【０００３】
【特許文献１】中国特許出願公開第１０３５３６１６６号明細書
【発明の概要】
【発明が解決しようとする課題】
【０００４】
本発明はニットウェアの型崩れ防止のハンガーを提供し、従来技術における上記欠点を解消することを目的とする。
【課題を解決するための手段】
【０００５】
本発明のニットウェアの型崩れ防止のハンガーは、横軸を含み、前記横軸には左右対称の脱離防止ブロックが設置され、前記横軸には左右対称のスライダがスライドできるように連結され、前記スライダのうち対称中心から離れている側と前記脱離防止ブロックのうち対称中心に近接している側との間には引っ張りばねが連結され、前記スライダの上端にはフック装置が設置され、前記スライダの下端には前後対称の掛けロッドが設置され、前記掛けロッドの下端には平板が固定的に連結され、前記平板には中心対称の凹溝が設置され、前記凹溝の中には転向装置が設置され、その中、前記転向装置の中には前記平板の外側に位置しており、且つ前後対称の磁性吸引装置が設置され、前記平板の中には前記凹溝の間に位置している昇降チャンバが設置され、前記昇降チャンバの頂端内壁には推し桶がスライドできるように連結され、前記推し桶の下端の中には前記転向装置を制御できる斜面ブロックが設置され、前記スライダの下端には下ヒンジ連結ロッドがヒンジにより連結され、前記下ヒンジ連結ロッドの下端には前記推し桶と固定的に連結されている圧し板がヒンジにより連結され、
服を広げて前記平板に置き、前記フック装置を引き動かして上へ移動させ、前記スライダがスライドすることにより前記圧し板を連動させて下へ移動させ、更に前記推し桶を連動させて下へ移動させ、この時、前記磁性吸引装置が回転して広がり、左右端の前記平板が磁性の互いに吸引する原理により、互いに近づくように移動して服をきつく挟む。
【０００６】
好ましくは、前記フック装置は前記スライダの上側端面にヒンジにより連結されている上ヒンジ連結ロッドを含み、前記上ヒンジ連結ロッドの上端には連結台がヒンジにより連結され、前記連結台の上側端面にはフックが回転できるように連結され、
前記フックを利用して服を掛け、且つ服を掛ける動作を設備を始動する信号源とする。
【０００７】
好ましくは、前記転向装置は、前記凹溝の内壁と回転できるように連結され、且つ上下へ伸びている伝動軸を含み、前記伝動軸にはギヤが設置され、前記伝動軸には前記ギヤのうち対称中心に近接している側に位置している回転ロッドが設置され、前記回転ロッドのもう一端が前記磁性吸引装置と回転できるように連結され、前記凹溝のうち前記昇降チャンバに近接している側の内壁には前記ギヤと噛み合って連結されているラックがスライドできるように連結され、前記ラックには前記昇降チャンバの中に位置している従動ブロックが設置され、前記従動ブロックが前記斜面ブロックと当接して連結され、前記従動ブロックと前記昇降チャンバの内壁との間には抵抗ばねが連結され、
ラックとギヤとの組み合わせを採用し、前記回転ロッドを九十度回転させ、服の腕部分をきつく挟む。
【０００８】
好ましくは、前記磁性吸引装置は前記平板の前後両側に設置されているアームロッドを含み、前記アームロッドの中には対称中心に向かって開口した開口溝が設置され、前記開口溝の中には前記回転ロッドと回転できるように連結されている固定軸が固定的に連結され、前記アームロッドの中には前記開口溝のうち対称中心から離れている側に位置している電源チャンバが設置され、前記電源チャンバのうち対称中心に近接している側の内壁にはスライドロッドがスライドできるように連結され、前記スライドロッドには前記回転ロッドと当接している当接板が設置され、前記当接板と前記開口溝の内壁との間には圧縮ばねが連結され、前記スライドロッドには前記電源チャンバの中に位置している正極棒が設置され、前記アームロッドの中には上下対称であり、且つ前記正極棒とスライドできるように連結されているスライドレールが連通するように設置され、前記アームロッドの中には前記スライドレールのうち対称中心から離れている端に位置しており、且つ前記正極棒と当接している電磁石が設置され、前記電源チャンバの中には前記正極棒と当接している電池枠が設置され、前記電池枠のうち対称中心から離れている端には前記電磁石と当接している負極棒が設置され、
機械の変位により、前記電磁石と、前記負極棒と、前記電池枠と、前記正極棒との間が二つの閉回路を形成し、通電して磁性を生じる。
【発明の効果】
【０００９】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【図面の簡単な説明】
【００１０】
説明しやすいために、本発明は以下の具体的な実施例及び付図により詳しく説明される。
【００１１】
【図１】図１は本発明のニットウェアの型崩れ防止のハンガーの全体構成模式図
【図２】図２は図１の「Ａ−Ａ」の構成模式図
【図３】図３は図２の「Ｂ−Ｂ」の構成模式図
【発明を実施するための形態】
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
本発明のニットウェアの型崩れ防止のハンガーは、横軸１１を含み、前記横軸１１には左右対称の脱離防止ブロック１７が設置され、前記横軸１１には左右対称のスライダ１５がスライドできるように連結され、前記スライダ１５のうち対称中心から離れている側と前記脱離防止ブロック１７のうち対称中心に近接している側との間には引っ張りばね１６が連結され、前記スライダ１５の上端にはフック装置９０１が設置され、前記スライダ１５の下端には前後対称の掛けロッド１８が設置され、前記掛けロッド１８の下端には平板２０が固定的に連結され、前記平板２０には中心対称の凹溝３１が設置され、前記凹溝３１の中には転向装置９０２が設置され、その中、前記転向装置９０２の中には前記平板２０の外側に位置しており、且つ前後対称の磁性吸引装置９０３が設置され、前記平板２０の中には前記凹溝３１の間に位置している昇降チャンバ２２が設置され、前記昇降チャンバ２２の頂端内壁には推し桶２１がスライドできるように連結され、前記推し桶２１の下端の中には前記転向装置９０２を制御できる斜面ブロック３８が設置され、前記スライダ１５の下端には下ヒンジ連結ロッド２３がヒンジにより連結され、前記下ヒンジ連結ロッド２３の下端には前記推し桶２１と固定的に連結されている圧し板１９がヒンジにより連結され、
服を広げて前記平板２０に置き、前記フック装置９０１を引き動かして上へ移動させ、前記スライダ１５がスライドすることにより前記圧し板１９を連動させて下へ移動させ、更に前記推し桶２１を連動させて下へ移動させ、この時、前記磁性吸引装置９０３が回転して広がり、左右端の前記平板２０が磁性の互いに吸引する原理により、互いに近づくように移動して服をきつく挟む。
【００１４】
有益的には、前記フック装置９０１は前記スライダ１５の上側端面にヒンジにより連結されている上ヒンジ連結ロッド１４を含み、前記上ヒンジ連結ロッド１４の上端には連結台１３がヒンジにより連結され、前記連結台１３の上側端面にはフック１２が回転できるように連結され、
前記フック１２を利用して服を掛け、且つ服を掛ける動作を設備を始動する信号源とする。
【００１５】
有益的には、前記転向装置９０２は、前記凹溝３１の内壁と回転できるように連結され、且つ上下へ伸びている伝動軸３２を含み、前記伝動軸３２にはギヤ３３が設置され、前記伝動軸３２には前記ギヤ３３のうち対称中心に近接している側に位置している回転ロッド３０が設置され、前記回転ロッド３０のもう一端が前記磁性吸引装置９０３と回転できるように連結され、前記凹溝３１のうち前記昇降チャンバ２２に近接している側の内壁には前記ギヤ３３と噛み合って連結されているラック３４がスライドできるように連結され、前記ラック３４には前記昇降チャンバ２２の中に位置している従動ブロック３６が設置され、前記従動ブロック３６が前記斜面ブロック３８と当接して連結され、前記従動ブロック３６と前記昇降チャンバ２２の内壁との間には抵抗ばね３５が連結され、
ラックとギヤとの組み合わせを採用し、前記回転ロッド３０を九十度回転させ、服の腕部分をきつく挟む。
【００１６】
有益的には、前記磁性吸引装置９０３は前記平板２０の前後両側に設置されているアームロッド４４を含み、前記アームロッド４４の中には対称中心に向かって開口した開口溝４０が設置字され、前記開口溝４０の中には前記回転ロッド３０と回転できるように連結されている固定軸２９が固定的に連結され、前記アームロッド４４の中には前記開口溝４０のうち対称中心から離れている側に位置している電源チャンバ４３が設置され、前記電源チャンバ４３のうち対称中心に近接している側の内壁にはスライドロッド２８がスライドできるように連結され、前記スライドロッド２８には前記回転ロッド３０と当接している当接板４１が設置され、前記当接板４１と前記開口溝４０の内壁との間には圧縮ばね４２が連結され、前記スライドロッド２８には前記電源チャンバ４３の中に位置している正極棒２６が設置され、前記アームロッド４４の中には上下対称であり、且つ前記正極棒２６とスライドできるように連結されているスライドレール２７が連通するように設置され、前記アームロッド４４の中には前記スライドレール２７のうち対称中心から離れている端に位置しており、且つ前記正極棒２６と当接している電磁石２５が設置され、前記電源チャンバ４３の中には前記正極棒２６と当接している電池枠２４が設置され、前記電池枠２４のうち対称中心から離れている端には前記電磁石２５と当接している負極棒４５が設置され、機械の変位により、前記電磁石２５と、前記負極棒４５と、前記電池枠２４と、前記正極棒２６との間が二つの閉回路を形成し、通電して磁性を生じる。
【００１７】
作動する時、服を広げて平板２０に置き、服の肩部と平板２０の上端とを位置合わせし、この時、フック１２を引き動かして上へ移動させ、フック１２が連結台１３と、上ヒンジ連結ロッド１４とによりスライダ１５を互いに近づかせ、また引っ張りばね１６に運動エネルギーを蓄積させ、スライダ１５が移動する時、下ヒンジ連結ロッド２３により圧し板１９を推し動かして下へ移動させ、また推し桶２１により従動ブロック３６を推し動かして対称中心から離れている側に向かってスライドさせ、また従動ブロック３６の間の位置は高さの差があるため、上下二つの従動ブロック３６のスライドは前後順序があるようになり、従動ブロック３６がラック３４を推し動かし、ラック３４が噛み合いによりギヤ３３を回転させ、ギヤ３３がまた伝動軸３２により回転ロッド３０を九十度回転させ、この時、手でアームロッド４４も九十度回転させ、回転ロッド３０が当接板４１を推し動かして電源チャンバ４３の中へ移動させ、またスライドロッド２８により正極棒２６をそれぞれ電磁石２５と電池枠２４と当接させることにより、電磁石２５と、負極棒４５と、電池枠２４と、正極棒２６との間が上下二つの閉回路を形成し、通電して磁性を生じ、更にこれにより左右両端のアームロッド４４が磁力の作用のもとで服を更にきつく挟む。
【００１８】
本発明の有益効果は：本発明は平板により服をきつく挟む方式を採用し、枠式のハンガーが服の肩部に折り目を付ける問題を避け、同時に両面が中心に向かって挟む方式を採用し、服を効果的にきつく挟むことができ、ふわふわのニットウェアがスペースを取る問題を解決し、操作が便利で、服を敷いてフックを引いてアームロッドを回転させれば服の収納を実現できる。
【００１９】
以上の方式により、本分野の技術者が本発明の範囲内に作動モードにより各種な変化をすることができる。
【手続補正３】
【補正対象書類名】図面
【補正対象項目名】図３
【補正方法】変更
【補正の内容】
【図３】
2020175066.tif 000006